(57)【要約】【課題】デビット機能を備えたＩＣカードのＩＣチップ内に遊技店でのデビット決済時の利用履歴情報を記録することにより、決済処理条件に対する利用制限を特定の遊技店やデビット決済センターに限定することなく効率的に実施することができるデビット決済による遊技媒体貸出システムを提供する。【解決手段】デビット子機７０の内部に、遊技客に対する利用制限をおこなう利用制限制御部１２０を備え、デビット機能を有するＩＣカード５のカード情報を取得し、この取得したカード情報に基づいて、決済処理条件が利用制限額の範囲内であるかを判定する利用制限判定手段１２２を設けるとともに、ＩＣカード５のＩＣチップ６内に遊技客の遊技店での利用金額を格納する利用履歴情報格納テーブル８１を設け、この利用履歴情報テーブル８１内に格納されたデビット決済時の利用金額データに基づき利用制限制御部１２０により利用制限を実施する。【選択図】      図３
2004305390.tif 000002
【特許請求の範囲】
【請求項１】
指定された有価価値に関連付けられた記録媒体を発行する記録媒体発行機と、当該記録媒体を受け入れ遊技媒体の貸し出しをおこなう遊技媒体貸出装置と、デビットカードとしての機能を備えたＩＣカードを受け入れて、当該ＩＣカードに記録されたカード情報を読み取るカード情報処理手段を有するデビット処理装置と、当該カード情報処理手段から取得したカード情報に基づいて、当該カード情報に対応した口座から指定金額を引き落とす決済処理をおこなう決済処理手段とを備えたデビット決済による遊技媒体貸出システムであって、
前記ＩＣカードは、遊技客によるデビット決済時の利用金額を履歴情報として記憶する記憶手段を備え、
前記デビット処理装置は、前記決済処理手段により決済処理された決済履歴情報を前記記憶手段に記録する決済情報記録手段と、
前記決済処理に係わる遊技客に対する利用制限情報を記憶する利用制限記憶手段と、
前記ＩＣカードの受け入れ毎に、実行しようとする決済処理条件が前記利用制限情報に基づいて規定される利用制限額の範囲内であるかを判定する利用制限判定手段と、
を有する利用制限制御装置を備えることを特徴とするデビット決済による遊技媒体貸出システム。
【請求項２】
前記ＩＣカードの記憶手段には、前記決済時の利用金額情報を時系列的に順次格納する利用履歴情報格納テーブルをさらに備えることを特徴とする請求項１に記載のデビット決済による遊技媒体貸出システム。
【請求項３】
前記利用制限制御装置は、前記ＩＣカードによる決済時に利用可能な決済額を算出する利用可能額算出手段をさらに備えるとともに、
前記利用制限判定手段によりデビット決済が可能な場合、前記記録媒体発行機による有価価値が関連付けられた記録媒体を発行する選択をおこなう前に、当該記録媒体発行機に対して、前記利用可能額算出手段により算出された利用可能金額を通知する制御をおこなうことを特徴とする請求項１または２に記載のデビット決済による遊技媒体貸出システム。
【請求項４】
前記利用可能額算出手段は、前記利用履歴情報格納テーブルに格納された利用金額情報に基づいて、遊技客の利用金額が利用制限に到達することを判定する機能を備え、ＩＣカードの挿入時に、このＩＣカードによるデビット決済が不可であることを通知することを特徴とする請求項３に記載のデビット決済による遊技媒体貸出システム。
【請求項５】
前記カード情報処理手段は、前記ＩＣカードの記憶手段に対して、遊技客によるデビット決済時の利用金額情報を書き込む機能をさらに備えることを特徴とする請求項１〜４のいずれか一つに記載のデビット決済による遊技媒体貸出システム。
【請求項６】
前記決済処理条件が前記利用制限判定手段に基づいて利用制限範囲内でないと判定された場合に、前記決済処理を規制する決済処理規制手段をさらに備えることを特徴とする請求項１〜５のいずれか一つに記載のデビット決済による遊技媒体貸出システム。
【請求項７】
前記ＩＣカードは、前記決済処理に係る遊技客に対する利用制限情報を記憶する利用制限制御装置を備えていることを特徴とする請求項１〜６のいずれか一つに記載のデビット決済による遊技媒体貸出システム。
【発明の詳細な説明】
【０００１】
【発明の属する技術分野】
本発明は、デビットカードとしての機能を備えたＩＣカードを使用してデビット決済にて遊技媒体を貸し出す遊技媒体貸出システムに関し、特にＩＣカードのＩＣチップ内に遊技店でのデビット決済時の利用履歴情報を記録することにより、特定の遊技店に限定することなく利用制限を実施することができるデビット決済による遊技媒体貸出システムを提供する。
【０００２】
【従来の技術】
現在、パチンコ機などの遊技機を設置した遊技店で遊技をおこなう場合には、カード発行機から一旦記録媒体、例えばプリペイドカードを購入し、このプリペイドカードに付与された有価価値（購入金額）に応じて遊技媒体（パチンコ玉など）を借り受けるプリペイドカードを使用した遊技媒体貸出システムが主流である。
【０００３】
ここで、プリペイドカードの残額が無くなり、新たに新規のプリペイドカードを購入或はプリペイドカードに対する追加入金をおこなう際、現金の持ち合わせが無い場合には、その都度銀行に行って現金を引き出してくる等の手間や不都合があるため、現在では、遊技店内にデビット決済用のデビット端末を設置し、デビットカード（銀行や郵便貯金のキャッシュカード）を用いる決済により遊技客の希望金額分のプリペイドカードを購入するデビット決済による遊技媒体貸出システムが考案されている。
【０００４】
この種のデビット決済による遊技媒体貸出システムにおいては、デビットカードを使用して遊技客の銀行口座等から有価価値分の引き落としをおこない、このプリペイドカードを使用してパチンコ玉を借り受けて遊技をおこなうものである。
【０００５】
ところが、このデビット決済による遊技媒体貸出システムでは、キャッシュカードを発行した銀行が特に引き落としの制限を設けていない場合、遊技客は自身の銀行口座にある預金をいくらでも引き出すことが可能なことから、デビット決済に歯止めがかからず、遊技にのめり込ませる引き金となる恐れがあった。
【０００６】
このようなデビット決済時に生じる問題を回避するため、デビット決済による一定額以上の利用を情報処理センタで制限し、遊技客が希望するプリペイドカードの購入金額（決済金額）と利用制限額とを比較して、希望金額が利用制限の上限額を超えている場合には、デビット決済を不可（ＮＧ）として、デビット決済による使い過ぎを抑制する技術が提案されている（例えば、特許文献１参照）。
【０００７】
【特許文献１】
特開２００２−８８９号公報
【０００８】
【発明が解決しようとする課題】
ところが、上述した従来のデビット決済による遊技媒体貸出システムの場合には、以下のような問題がある。すなわち、遊技店内のデビット端末でデビット決済時の利用金額を記録するとともに、このデビット端末で利用制限を実施した場合、他のデビット端末を遊技客が利用した際には、利用制限ができないという問題がある。ここで、複数のデビット端末間を通信により接続し遊技客の利用金額データを共有することも考えられるが、この場合にはデビット端末間での通信処理に時間および通信コストを要するものとなる。このため、デビット決済時の操作が煩雑となるうえ手間もかかり、余分な操作や手間がかかるうえ、カード発行機による発行処理が混雑するなど、遊技店全体の稼動状況に悪影響を及ぼすという問題がある。
【０００９】
同様に、遊技店内のターミナルコントローラ（Ｔ／Ｃ）でデビット決済による利用制限をおこなう場合、遊技客が他の遊技店で遊技をおこなう場合には、利用制限ができないという問題がある。以上のように、従来では、決済処理条件に対する利用制限は、特定の遊技店に備えたデビット端末やターミナルコントローラ（Ｔ／Ｃ）或はデビット決済センターに限定するものであるため利用制限を効率的に実施することができないという問題があった。また、デビット端末やデビット決済センターなどの記憶部（メモリ）に遊技客が使用するキャッシュカード毎の利用金額情報を記憶させるには、情報量が増大であるため大きな負荷が掛かり好ましくないという問題がある。
【００１０】
この発明は、上述した従来技術による問題点を解決するためになされたもので、デビットカードとしての機能を有するＩＣカードを使用するとともに、このＩＣカードのＩＣチップ内に遊技店でのデビット決済時の利用履歴情報を記録することにより、決済処理条件に対する利用制限を特定の遊技店或はデビット決済センターに限定することなく遊技客に対する利用制限を効率的に実施することができるデビット決済による遊技媒体貸出システムに関する。
【００１１】
【課題を解決するための手段】
上記目的を達成するために、請求項１記載の発明は、指定された有価価値に関連付けられた記録媒体を発行する記録媒体発行機と、当該記録媒体を受け入れ遊技媒体の貸し出しをおこなう遊技媒体貸出装置と、デビットカードとしての機能を備えたＩＣカードを受け入れて、当該ＩＣカードに記録されたカード情報を読み取るカード情報処理手段を有するデビット処理装置と、当該カード情報処理手段から取得したカード情報に基づいて、当該カード情報に対応した口座から指定金額を引き落とす決済処理をおこなう決済処理手段とを備えたデビット決済による遊技媒体貸出システムであって、前記ＩＣカードは、遊技客によるデビット決済時の利用金額を履歴情報として記憶する記憶手段を備え、前記デビット処理装置は、前記決済処理手段により決済処理された決済履歴情報を前記記憶手段に記録する決済情報記録手段と、前記決済処理に係わる遊技客に対する利用制限情報を記憶する利用制限記憶手段と、前記ＩＣカードの受け入れ毎に、実行しようとする決済処理条件が前記利用制限情報に基づいて規定される利用制限額の範囲内であるかを判定する利用制限判定手段と、を有する利用制限制御装置を備えることを特徴とする。
【００１２】
請求項２に係る発明は、請求項１に記載の発明において前記ＩＣカードの記憶手段には、前記決済時の利用金額情報を時系列的に順次格納する利用履歴情報格納テーブルをさらに備えることを特徴とする。
【００１３】
請求項３に係る発明は、請求項１または２に記載の発明において前記利用制限制御装置は、前記ＩＣカードによる決済時に利用可能な決済額を算出する利用可能額算出手段をさらに備えるとともに、前記利用制限判定手段によりデビット決済が可能な場合、前記記録媒体発行機による有価価値が関連付けられた記録媒体を発行する選択をおこなう前に、当該記録媒体発行機に対して、前記利用可能額算出手段により算出された利用可能金額を通知する制御をおこなうことを特徴とする。
【００１４】
請求項４に係る発明は、請求項３に記載の発明において前記利用可能額算出手段は、前記利用履歴情報格納テーブルに格納された利用金額情報に基づいて、遊技客の利用金額が利用制限に到達することを判定する機能を備え、ＩＣカードの挿入時に、このＩＣカードによるデビット決済が不可であることを通知することを特徴とする。
【００１５】
請求項５に係る発明は、請求項１から４のいずれか一つに記載の発明において前記カード情報処理手段は、前記ＩＣカードの記憶手段に対して、遊技客によるデビット決済時の利用金額情報を書き込む機能をさらに備えることを特徴とする。
【００１６】
請求項６に係る発明は、請求項１から５のいずれか一つに記載の発明において前記決済処理条件が前記利用制限判定手段に基づいて利用制限範囲内でないと判定された場合に、前記決済処理を規制する決済処理規制手段をさらに備えることを特徴とする。
【００１７】
請求項７に係る発明は、請求項１から６のいずれか一つに記載の発明において、前記ＩＣカードは、前記決済処理に係る遊技客に対する利用制限情報を記憶する利用制限制御装置を備えていることを特徴とする。
【００１８】
【発明の実施の形態】
以下に添付図面を参照して、この発明に係るデビット決済による遊技媒体貸出システムの好適な実施の形態を詳細に説明する。なお、以下に示す実施の形態では、本発明をパチンコ遊技に適用した場合を示すが、パチンコ遊技のみならずパチスロ遊技などにおいても本発明を適用することができる。
【００１９】
（実施の形態１）
図１は、本発明の実施の形態１であるデビット決済による遊技媒体貸出システムの全体構成を示すブロック図である。ここで、本実施形態１の特徴は、デビット子機の内部に利用制限をおこなう利用制限制御部１２０を設けるとともに、ＩＣカード５のＩＣチップ６に遊技客の利用履歴格納フィールドを設け、この利用履歴格納テーブル８１に格納された決済時の利用金額データに基づいて利用制限制御部１２０により利用制限を実施することにある。
【００２０】
なお、ここで例示する遊技媒体貸出システムでは、記録媒体としてプリペイドカードおよび会員カードを適用する。また、本発明においてデビットカードとしては、銀行や郵便局などで使用するキャッシュカードを適用するものとし、このキャッシュカードは、ＩＣカード化されたキャッシュカード（以下、単に「ＩＣカード」と称する。）を使用するものとする。
【００２１】
プリペイドカードは、任意の一般利用客に対して遊技店がその都度発行する紙製などの磁気カード等であり、上述した会員カードと同様、各種の情報が磁気記録および印字してある。具体的には、発行店の識別情報、カード固有の識別コード、発行金額、カードの種別などが磁気記録してあるとともに、発行店名、カード固有識別情報（例えば発行機番号＋連番）、発行金額および有効期限等が目視できるように印字してある。
【００２２】
会員カードは、住所や氏名等の会員情報を登録した会員である利用客に対して遊技店が発行する合成樹脂製のカード（ＪＩＳＩＩ）であり、各種情報が磁気記録および印字してある。具体的には、発行店の識別情報や会員コード等の会員識別情報が磁気記録してあるとともに、発行した店コード、会員コード等の情報が印字してあり、記録内容の一部を目視できるようになっている。
【００２３】
また、プリペイドカードおよび会員カードには、それぞれパチンコ玉を借り受ける際の基準となる有価価値、具体的には「度数」と称される有価価値を付与してある。ここで示す「度数」とは、パチンコ玉の貸出処理単位であり、所定のレートで設定してある。一般的には、１度数が１００円に対応し、１度数でパチンコ玉を２５個だけ貸し出すように設定してある。
【００２４】
図１に示すように、本実施の形態１の遊技媒体貸出システムでは、それぞれ「島」と呼ばれるグループごとに複数のパチンコ機２０およびカード処理ユニット３０が並設してあるとともに、各島にカード発行機４０、カード精算機５０などの記録媒体処理装置が適宜設けてある。また、複数のカード発行機４０に対応して、デビット決済処理装置としての複数のデビット子機７０が併設されている。デビット子機７０は、このデビット子機７０と接続されたカード発行機４０と協同し、プリペイドカードの発行に関するＩＣカード５（図４）による決済処理機能を有する。
【００２５】
カード発行機４０は、プリペイドカードを発行するカード発行処理機能を備えている。また、このカード発行機４０は、会員カードを受け入れた際に、この会員カードに関連付けて記録された度数に対する加算処理機能を備えている。具体的には、カード発行機４０を利用して遊技客が希望する有価価値分のプリペイドカードの発行およびこのプリペイドカード、会員カードに対する追加入金をおこなうことができる。
【００２６】
また、紙幣やＩＣカード５の利用時において、遊技客により購入希望金額（選択ボタン）が選択されると、この選択された金額データや発行店、日付、カードを特定する情報を当該カードの磁気ストライプ部に磁気記録し、かつカード表面に金額と表示ＩＤを印字したプリペイドカードを発行することができる。
【００２７】
カード処理ユニット３０は、遊技店に設置された複数のパチンコ機２０それぞれに対して１台ずつペアとなるように用意され、パチンコ機２０の相互間に挟まれる形で設置してある。カード処理ユニット３０は、プリペイドカードや会員カードに関連付けられた残度数を上限とするパチンコ玉の貸し出し処理を主機能とするものである。
【００２８】
このカード処理ユニット３０は、プリペイドカードを挿入するカード挿入口にカードが挿入されると、ターミナルコントローラ１０に問い合わせることにより、そのプリペイドカードに関連付けられた有価価値データを取得し、遊技客によるパチンコ機２０への遊技媒体の貸し出し要求に基づき、当該有価価値データ（残度数）の範囲内で、遊技媒体を貸し出す処理をおこなう。遊技客は、この遊技媒体を用いてパチンコ機２０により遊技をおこなうことができる。
【００２９】
カード精算機５０は、プリペイドカードや会員カードに関連付けられた度数を現金として払い戻す処理を主機能とするもので、遊技店内に数台ずつ設置してある。デビット子機７０は、カード発行機４０に隣接して設置され、かつ当該カード発行機４０と通信路で接続されている。また、このデビット子機７０は、遊技店の店外において、公衆回線網１０００を介して情報処理センタ１００１に接続されている。さらに、この情報処理センタ１００１は、デビットカード発行銀行１０２０、加盟店銀行１０４０のそれぞれのコンピュータとＣＡＦＩＳネットワーク（クリアリングセンタ１０１１を含む）を介して接続されている。このＣＡＦＩＳネットワークを核とし、更に、情報処理センタ１００１の遊技店内に設置されたデビット子機７０へと継がる部分全体は、デビットカードシステムと称されている。
【００３０】
これらのパチンコ機２０、カード処理ユニット３０、カード発行機４０およびカード精算機５０は、各島内に設けた島コントローラ６０を通じてターミナルコントローラ１０の制御下にある。すなわち、ターミナルコントローラ１０は、遊技店に少なくとも１台設置してあり、設置した遊技店の統括管理、例えばカード管理、会員の管理、売上管理等をおこなうとともに、上述したように、プリペイドカードおよび会員カード個々の有価価値に関する情報を記憶管理する部分である。ターミナルコントローラ１０は、パチンコ店外のカード会社センタ１０６０のカード管理コンピュータと公衆回線網により接続されており、このカード管理コンピュータを用いてターミナルコントローラ１０内のデータを管理できるようになっている。
【００３１】
図２は、ターミナルコントローラ１０の内部構成を示すブロック図である。ターミナルコントローラ１０のＲＡＭ１１は、度数管理テーブルＤＴ等の各種管理情報を格納する部分である。度数管理テーブルＤＴは、プリペイドカードの種別毎に、カードの識別情報と、その度数情報とを対応付けて格納したものである。度数管理テーブルＤＴのカード識別情報とは、会員カードの場合に会員コードに相当し、一般カードの場合にそれぞれの固有識別コードに相当する。
【００３２】
度数管理テーブルＤＴに格納されたそれぞれの度数情報は、通信Ｉ／Ｆ部１２を通じて読み出し要求があった場合にはＣＰＵ１３によって、その都度ＲＡＭ１１から読み出される一方、減算更新要求や加算更新要求があった場合にはＣＰＵ１３によって適宜更新されることになる。ＣＰＵ１３は、ＲＯＭ１４に格納されたプログラムに基づいて上述した各種処理を実現するための部分である。また、１５は、上述した各種管理情報を表示するための表示部、１６は、オペレータが設定をおこなう際に操作する入出力部である。
【００３３】
図３は、実施の形態１に係わる情報処理センタ１００１、デビット子機７０、カード発行機４０の概略構成及び接続態様を示す概念図である。すなわち、図３に示すように、本実施の形態１における遊技媒体貸出システムは、プリペイドカードの発行をおこなうカード発行機４０と、デビットカードの受け入れ時に、デビットカードに関連付けられたカード情報を取得するデビット子機７０と、このデビット子機７０により取得したカード情報に基づいてデビット決済処理をおこなう情報処理センタ１００１とを通信により接続することにより構成している。
【００３４】
デビット子機７０は、カード発行機４０に付設されており、このデビット子機７０は、デビット決済による取引金額や入力操作ガイダンスなどの各種情報を表示する表示部７１、ＩＣカード５（キャッシュカード）の暗証番号や取引金額等を入力する操作入力部７２、ＩＣカード５を挿入するためのカード挿入／返却口７３、デビット決済によるレシートを発行するレシート発行口７４を備えている。なお、本例ではデビット子機４０とカード発行機７０とを別体として構成しているが、カード発行機４０の内部にデビット子機７０の機能を備える構成とすることもできる。
【００３５】
カード発行機４０は、プリペイドカードの発行金額を選択する５種類（例えば、１００００円、５０００円、３０００円、２０００円、１０００円）の選択ボタン７５と、この選択ボタン７５により選択された発行金額に応じたプリペイドカードを排出し、発行をおこなうプリペイドカード発行口７６および会員カードを挿入するための会員カード挿入／返却口７８を備えている。
【００３６】
情報処理センタ１００１は、公衆回線網１０００を通じてデビット子機７０に接続され、このデビット子機７０により取得したカード情報に基づいてデビット決済処理をおこなう機能を備えており、さらにはクリアリングセンタ１０１１を含むＣＡＦＩＳネットワーク１０１０、並びに遊技客の口座を有するデビットカード発行銀行１０２０および情報処理センタ１００１の口座を有する加盟店銀行１０４０に接続されている。
【００３７】
ここで、図４（ａ）、（ｂ）を参照して、ＩＣカードの概略構成について簡単に説明する。本発明で採用されるＩＣカード５は、キャッシュカードなどで使用される磁気カードよりも記憶容量が大きいうえ、のセキュリティの面で有効であり、データの更新および再利用も容易である点に特徴がある。すなわち、図４（ａ）に示すように、ＩＣカード５は、プラスチック板の上面に磁気ストライプを形成（加工）するとともに、主に、記憶部として機能するＩＣチップ６を搭載して構成されている。また、同図（ｂ）に示すように、このＩＣカード５に搭載されたＩＣチップ６の内部回路は、演算処理をおこなうＣＰＵ７（中央処理装置）、プログラムや複数のアプリケーションフィールドを備えたメモリ６ａ（ＰＲＯＭ）、外部装置（カードリーダ）との通信部である端子９とから構成されている。ＣＰＵ７は、ＲＯＭ２１、ＲＡＭ２２、演算部２３、制御部２４からなる。
【００３８】
そして、本例では、メモリ６ａ（ＰＲＯＭ）にＩＣカード５の所有者を特定する識別ＩＤおよび複数のアプリケーションフィールド８０（図３）を備えている。図３に示すように、例えば、アプリケーションフィールド８０としては銀行の口座番号などで利用される銀行利用フィールド、クレジットカード会社利用フィールドなどである。また、本発明においては、これら複数のアプリケーションフィールド８０の一つに利用履歴情報格納テーブル８１を設定している。後述するように、この利用履歴情報格納テーブル８１の内部には遊技客が遊技店内で利用した決済時の利用金額が時系列的に順次格納されている（図７参照）。
【００３９】
図５は、デビット子機７０およびカード発行機４０の構成である機能ブロック図を示している。以下、図５を参照してデビット子機７０およびカード発行機４０の詳細を説明する。図５に示すように、デビット子機７０は、カード挿入／返却口７３、レシート発行口７４、印字部８２、デビットカード処理部８３、表示部７１、操作入力部７２、通信インターフェースとしての通信制御部８４、８５とを備えている。
【００４０】
カード挿入／返却口７３は、ＩＣカード５（デビットカード）を受け入れてこれをデビットカード処理部８３に取り込む一方、このデビットカード処理部８３において所望の処理を施した後のＩＣカード５を返却するための開口である。デビットカード処理部８３は、取り込んだＩＣカード５に磁気記録されている情報を読み取り、その読み取り結果を後述のデビット制御部１１５に与える部分である。更に、デビットカード処理部８３は、ＩＣカード５の受け入れ時に、このＩＣカード５のＩＣチップ６に対して所定の利用履歴情報を読み込むおよび書き込む機能を備えている。本例では、デビットカード処理部８３によりＩＣカード５のＩＣチップ６内に記録された利用履歴情報の読み込みおよび利用履歴情報の書き込みをおこなう。
【００４１】
レシート発行口７４は、印字部８２において印字処理されたレシートを排出するための開口である。印字部８２は、デビット制御部１００から与えられた情報をレシートとして印字出力するための部分である。表示部７１は、後述のデビット制御部１００から与えられた入力ガイダンスや設定ガイダンス等の各種情報を表示するための部分であり、例えば液晶表示器によって構成してある。
【００４２】
操作入力部７２は、確認ボタンや取消ボタン等の各種機能ボタン、さらにはＩＣカード５の暗証番号を入力するためのテンキーボタンを備えて構成したものである。
【００４３】
カード発行機４０は、会員カード挿入／返却口７８、会員カード処理部９１、プリペイドカード発行口７６、プリペイドカード処理部９３、表示部７７、選択ボタン７５、発行制御部１１１、通信制御部１１２、１１３とを備えている。
【００４４】
プリペイドカード発行口７６は、プリペイドカード処理部９３で発行処理したプリペイドカードを排出するための開口である。具体的に、このプリペイドカード処理部９３は、例えば、予め装填されたロール紙（図示せず）を適宜切断・印字・データ処理し、これをプリペイドカードとして発行する部分である。
【００４５】
会員カード挿入／返却口７８は、会員カードを受け入れてこれを会員カード処理部９１に取り込む一方、会員カード処理部９１において所望の処理を施した後の会員カードを返却するための開口である。会員カード処理部９１は、取り込んだ会員カードに磁気記録されている会員識別情報を読み取り、その読み取り結果を発行制御部１１１に与える部分である。
【００４６】
表示部７７は、発行制御部１１１から与えられた入力ガイダンス等の各種情報を表示するための部分であり、例えば液晶表示器によって構成してある。発行制御部１１１は、予め与えられたプログラムや会員カード処理部９１から与えられた情報に基づいて各部の制御をおこなうための部分である。
【００４７】
発行制御部１１１は、通信制御部１１２、１１３を通じて外部と適宜情報交換することが可能である。通信制御部１１３は、島コントローラ６０（図１）を介してターミナルコントローラ１０に接続してある一方、通信制御部１１２は、デビット子機７０の通信制御部８５を介してデビット制御部１１５に接続してある。
【００４８】
ここで、本実施の形態１の特徴は、デビット子機７０の内部に利用制限をおこなう利用制限制御部１２０を設けるとともに、ＩＣカード５のＩＣチップ６（図４）内に遊技客の遊技店での利用金額を格納する利用履歴情報格納テーブル８１を設け、この利用履歴情報格納テーブル８１内に格納された利用金額データに基づいて利用制限制御部１２０により利用制限を実施することにある。すなわち、図５に示すようにデビット子機７０の内部には、利用制限制御部１２０を備えている。また、図６に示すように、この利用制限制御部１２０は、決済処理制御部１２１、利用制限判定部１２２、利用可能額算出部１２３、決済処理規制部１２４、データベース管理部１２５とを備えている。
【００４９】
決済処理制御部１２１は、決済処理に係る決済処理機能を備えている。利用制限判定部１２２は、ＩＣカード５の受け入れ時に、実施しようとする決済条件が利用制限範囲であるか否かを判定する機能を備えている。利用可能額算出部１２３は、遊技客毎に利用制限されている利用制限額のうちから利用可能額を算出する機能を有している。決済処理規制部１２４は、決済処理条件が利用制限範囲内でない場合、決済処理を規制する機能を備えている。
【００５０】
また、データベース管理部１２５は、メモリ部１３０を接続しており、このメモリ部１３０内には、利用制限範囲の条件データ、キャッシュカードの利用実績に関する各種データを管理する利用制限データベース１４０が設けられている。この利用制限データベース１４０は、利用制限設定テーブル１５０を設けている。
【００５１】
図７は、利用制限設定テーブル１５０の一例を示している。同図に示すように、この利用制限設定テーブル１５０には、遊技客が所有するＩＣカード５の識別ＩＤ（＝カードＩＤ）別に、それぞれ一定期間単位（この例では、１日単位）の利用上限金額、同じく上限回数、１回の利用あたりの上限金額等の利用制限条件データが予め設定されている。例えば、識別ＩＤが「０１２３４」のＩＣカード５を所有する遊技客を例にすると、この遊技客が１日にデビット決済できる上限金額は、１００００円であることを示している。
【００５２】
ここで、本例では、利用制限設定テーブル１５０による１日の利用制限額（上限金額）を例として説明したが、１日ではなく、一定期間（例えば、１週間）の間に利用されるデビット決済による利用金額或いは利用回数の上限値を設定し、この上限金額或いは利用回数の上限値を利用制限とすることもできる。具体的には、一定期間内の利用上限（期間と上限金額、制限回数のうちいずれか一つ）を制限する方法と、取引一回当たりの上限金額、下限金額を制限する方法のどちらか一方を用いても良いし、両方を用いても良い。上限値だけでなく下限値や利用制限回数を設定することにより、小額の決済が複数回おこなわれることを防止できるため、決済に係る遊技店の決済手数料を低減することができる。
【００５３】
また、１回のデビット決済時の利用金額の上限値を利用制限として設定することもできる。また、これら一定期間内での利用金額或いは利用回数の上限値、１回のデビット決済時の利用金額の上限値それぞれを組合わせた複数の条件を利用制限として設定することができる。
【００５４】
さらに、この利用制限設定テーブル１５０で、設定している利用制限額は任意に変更可能であり、固定値として設定することができる。なお、一定期間の範囲で利用制限を設定している場合には、この設定された一定期間が経過した際には、ＩＣカード５のＩＣチップ６内に記憶された利用履歴情報データは自動的に消失（クリア）される。
【００５５】
図８は、利用情報履歴格納テーブル８１の一例を示している。すなわち、Ｃカード５のＩＣチップ６内のメモリ６ａには、利用情報履歴格納テーブル８１を備えており、この利用履歴情報格納テーブル８１の内部には遊技客が遊技店で利用した決済時の利用金額が時系列的に順次格納されている。そして、後述するように、この利用履歴情報格納テーブル８１内に格納された利用金額を累計することにより、予め設定された利用制限金額から決済後の累計利用金額を減算することで利用可能金額を算出することができる。
【００５６】
図９は、本発明のデビット決済による遊技媒体貸出システムの基本制御手順を説明するフローチャートである。すなわち、本発明のデビット決済による遊技媒体貸出システムは、大別して（１）利用制限設定工程（ステップＳＡ１００）、（２）利用制限判定工程（ステップＳＡ１０１）、（３）利用可能金額算出工程（ステップＳＡ１０２）、（４）利用履歴情報書き込み工程（ステップＳＡ１０３）の４つの処理工程により構成されている。先ず、これら（１）〜（４）の各制御工程について簡単に説明する。
【００５７】
（１）利用制限設定工程
利用制限設定工程は、遊技客に対してデビット決済による利用制限額を設定する工程である。この利用制限設定工程により設定された遊技客毎の利用制限額は、利用制限データベース１４０（図４）の利用制限設定テーブル１５０（図５）に格納される。
【００５８】
（２）利用制限判定工程
利用制限判定工程は、デビット決済時に遊技客が希望するプリペイドカードの希望購入額と利用制限額とを比較し、この希望購入額が利用制限額を超えているか否かを判定する工程である。この利用制限判定工程の判定により決済時の希望利用金額が利用制限額を超えている場合はデビット決済によるデビット取引（プリペイドカードの購入）は不可（ＮＧ）となる。
【００５９】
（３）利用可能金額算出工程
利用可能金額算出工程は、デビット決済時に利用可能な利用金額を算出する工程である。この利用可能金額の算出は、利用制限金額から当日までの利用金額の総和である決済後の累計利用額を減算することで、最終的な利用可能金額を算出することができる。
【００６０】
（４）利用履歴情報書き込み工程
利用履歴情報書き込み工程は、ＩＣカード５のメモリ６ａに対して、今回でのデビット決済時の利用金額データをデビットカード処理部８３により書き込む工程である。このデビットカード処理部８３により書き込まれた利用金額データは、利用履歴情報格納テーブル８１に順次格納されることにより、遊技客は次回のデビット決済可能な利用可能額を把握することができる。
【００６１】
また、デビット子機７０に利用制限制御部１２０を設けた場合には、遊技客がプリペイドカードの購入金額を選択する時、具体的には、カード発行機４０の選択ボタン７５の押下操作前に、利用制限制御部１２０の機能により事前に購入可能な金額を表示することができる。
【００６２】
以下、図１０のフローチャートを参照して、本実施の形態１における全体制御処理手順を説明する。この図１０に示すフローチャートは、デビット子機７０、カード発行機４０、情報処理センタ１００１との間での処理手順を説明する図である。ここで、本実施の形態１では、遊技客が遊技店で利用した利用金額情報は、ＩＣカード５のＩＣチップ６（メモリ６ａ）内の利用履歴情報格納テーブル８１に格納されている。
【００６３】
すなわち、先ず、遊技客がデビット子機７０のカード挿入／返却口７３にＩＣカード５を挿入すると（ステップＳ１１０）、デビット子機７０は、この挿入されたＩＣカード５からカード情報を読み取るとともに（ステップＳ１２０）、カード発行機４０に対して、カード発行操作可の旨を通知する（ステップＳ１３０）。
【００６４】
ここで、デビット子機７０により読み取られるＩＣカード５の情報とは、このＩＣカード５の所有者を特定するカードＩＤおよびＩＣチップ６（メモリ６ａ）内に格納された遊技客個人の遊技店における利用履歴情報である。前述したように、利用履歴情報は利用履歴情報格納テーブル８１内に記録されている。
【００６５】
これに対し、カード発行機４０では、デビット子機７０から送信されたカード発行操作可の通知を受信すると（ステップＳ１４０）、選択ボタン７５を点灯状態に制御し（ステップＳ１５０）、この選択ボタン７５の点灯中に、遊技客が点灯している選択ボタン７５のいずれかを押下すると（ステップＳ１５５）、カード発行機４０は、この押下された選択ボタン７５に対応する金額データをデビット子機７０に通知する（ステップＳ１６０）。具体的には、５種類（１００００円、５０００円、３０００円、２０００円、１０００円）の選択ボタン７５のうち、遊技客が選択した選択ボタン７５による金額が通知されるものとなり、この金額データが今回での決済要求金額となる。
【００６６】
一方、デビット子機７０は、カード発行機４０から決済要求金額を受信すると（ステップＳ１７０）、利用制限制御部１２０の利用制限判定部８２により、今回の決済要求（プリペイドカードの購入希望額）に対して利用制限範囲内か否かを判断する利用制御判定処理をおこなう（ステップＳ１８０）。
【００６７】
以下、図１１のフローチャートを参照して利用制御判定処理の詳細について説明する。すなわち、図１１に示すように、前記ステップＳ１７０により決済要求金額を受信した際には、先ず、ＩＣカード５のメモリ６ａ内に格納された利用履歴情報格納テーブル８１を抽出し（ステップＳ２００）、この利用履歴情報格納テーブル８１に格納された利用履歴実績金額を累計するとともに、この累計利用金額に対して、前記ステップＳ１７０により受信した今回の決済金額を加算する（ステップＳ２１０）。
【００６８】
次いで、ＩＣカード５から取得したカードＩＤに基づいて利用制限設定テーブル１５０を抽出し（ステップＳ２２０）、ＩＣカード５のカードＩＤをキーとして、利用制限条件を抽出する。以下、利用制限判定部１２２は、利用履歴情報格納テーブル８１を検索し、カードＩＤに対応する諸条件が利用制限設定テーブル８７の設定値範囲内であるか否かを判定する（ステップＳ２４０）。
【００６９】
具体的には、このステップＳ２１０により算出された利用実績金額と今回での決済希望金額との合計金額（累計金額）と利用制限金額との比較をおこなう（決済履歴合計金額＋今回決済希望金額≦利用制限金額）。そして、このステップＳ２４０の判定により遊技客が希望した決済希望金額（利用履歴金額＋今回の決済希望金額）が利用制限金額を超えていなければ（ステップＳ２４０肯定）、利用制限範囲内（ステップＳ２５０）となり、ステップＳ２７０の判定により、次のステップＳ３００である暗証番号の入力に移行する（ステップＳ３００）。
【００７０】
一方、ステップＳ２４０の判断により決済希望金額（利用履歴金額＋今回の決済希望金額）が利用制限額を超えていた場合には（ステップＳ２４０否定）、具体的には、「決済履歴合計金額＋今回決済希望金額＞利用制限金額」の場合には、利用制限範囲外（ステップＳ２６０）となり、ステップＳ２７０の判定により、ステップＳ５００に移行し、ＩＣカード５の返却後、全ての処理を終了とする（エンド）。以下、上述したステップＳ２４０の処理について利用制限設定テーブル１５０、利用可能額算出テーブル８８、利用履歴情報格納テーブル８１を参照して具体的に説明する。
【００７１】
すなわち、ＩＣカード５のカードＩＤが「０１２３６」の遊技客を例にすると、この遊技客の場合、利用制限設定テーブル１５０（図７）に示すように利用制限金額の上限金額は、１回のデビット決済当たり「１００００円」、１日のデビット決済の上限金額は「４００００円」、同じく１回のデビット決済の上限回数は「６回」と設定されている。そして、この例では図７の利用履歴情報格納テーブル８１（図７）に示すように１回目〜３回目までのデビット決済で１００００円のデビット決済、４回目のデビット決済で５０００円のデビット決済をおこなったことを示している。
【００７２】
ここで、前記図７において、例えば遊技客が５回目のデビット取引に１００００円のプリペイドカードの購入を希望した場合には、この５回目を含む１回〜５回のデビット決済による累計利用額は、合計で４５０００円（１００００×３＋５０００＋１００００）となり、１日の利用制限額の４００００円を超えてしまうため、この場合は決済がＮＧ（ステップＳ２７０否定）となり、ＩＣカード５はカード挿入／返却口７３から返却される。ここで、表示部７１には「本日の決済制限額を超えています」などの決済結果を示す表示してもよい。
【００７３】
この一方、例えば、遊技客が５回目のデビット取引に２０００円のプリペイドカードの購入を希望した場合には、この５回目を含む１回〜５回のデビット決済の累計利用額は、合計で３７０００円（１００００×３＋５０００＋２０００）となり、利用制限額の４００００円に満たないため、この場合は利用制限額を超えていないため決済がＯＫとなる（ステップＳ２７０肯定）。
【００７４】
また、本例では、１日の利用可能額に３０００円の残金があるため「本日の利用可能額は、３０００円です」などの利用可能な利用可能金額が通知されるとともに表示される。このように利用可能金額は、利用制限金額（４００００円）から遊技客が当日利用した利用金額の合計値（累計利用額）を減算することで利用可能金額を算出することができる。また、この算出された利用可能金額の情報は、レシートに印字されて発行される（ステップＳ６４３）。
【００７５】
図１０のフローチャートに戻り、以下では、ステップＳ２７０の判定により利用制限範囲内であると判定された場合について説明する。すなわち、利用制限範囲内であると判定された際には（ステップＳ２７０肯定）、次いで、暗証番号の入力要求を表示部７１によりおこなう（ステップＳ３００）。
【００７６】
そして、この暗証番号の入力要求を表示部７１での表示により確認した遊技客がデビット子機７０の操作入力部７２を使用して暗証番号を入力すると（ステップＳ３１０）、デビット子機７０は、この暗証番号を保持すると共に、ＩＣカード５のカード情報を決済依頼として情報センタ１００１に対して送信する（ステップＳ３３０）。ここで、情報処理センタ１００１に送信されるカード情報には、決済依頼データであるデビット子機７０のカードＩＤ、端末処理番号、ＩＣカード５の暗証番号、決済依頼金額などが含まれている。
【００７７】
一方、情報センタ１００１では、デビット子機７０から送信されたＩＣカード５のカード情報を受信すると（ステップＳ３４０）、情報センタ１００１は、クリアリングセンタ１０１１にアクセスし、今回の決済要求にて通知されたＩＤに対応する口座から当該決済要求で通知された金額データ分を引き落とす処理を含む決済処理を開始する（ステップＳ３５０）。
【００７８】
ここで、決済依頼データが利用制限内（利用制限可）である場合の情報処理センタ１００１での上記決済処理は、例えば、以下の手順で実現できる。すなわち、ステップＳ２７０で利用ＯＫと判定した情報処理センタ１００１では、上記ステップＳ３５０での処理によりデビット子機７０から受信した各種データ（金額データ、カード情報、暗証番号等）を基に、図１に示すＣＡＦＩＳ（Ｃｒｅｄｉｔ  ａｎｄ  Ｆｉｎａｎｃｅ  Ｉｎｆｏｒｍａｔｉｏｎ  Ｓｙｓｔｅｍ）ネットワークのクリアリングセンタ１０１１に決済処理を依頼する。
【００７９】
以下、上記決済依頼を受けたクリアリングセンタ１０１１は、デビットカード発行銀行１０２０、加盟店銀行１０４０間で決済処理をおこない、このうちの即時実行する必要のある処理（例えば、デビットカード発行銀行１０２０での、今回の決済要求にて通知されたカード情報中から抽出したＩＤ）に対応する口座から当該決済要求で通知された引き落とし金額分を引き落とす処理等が終了すると、情報処理センタ１００１に処理終了の通知をおこなう。また、クリアリングセンタ１０１１では、上記口座の残金不足等により決済処理が不可（ＮＧ）の場合には、その旨を情報処理センタ１００１に通知する。
【００８０】
なお、即時実行分以外の決済処理は、予め決められた期間後（例えば、３営業日後）に実施され、最終的に、上記利用料金から上記決済処理により手数料等を差し引かれた代金が加盟店銀行１０４０の情報処理センタ１００１の口座に振り込まれる。その後、この加盟店銀行１０４０の情報処理センタ１００１の口座に振り込まれた代金から情報処理センタ１００１の手数料を差し引いた代金として、△△銀行１０７０にある各遊技店の口座に振り込まれる。
【００８１】
以下、ステップＳ３６０により決済結果をデビット子機７０に送信する（ステップＳ３６０）。一方、デビット子機７０は、情報処理センタ１００１から送信された決済処理結果（決済の可否）を受信し（ステップＳ４００）、この決済処理結果（決済の可否）に基づいて決済処理の可否を判定し（ステップＳ４１０）、例えば、今回の決済要求にて通知されたカードＩＤに対応する口座の残額が当該決済要求で通知された金額に満たない（残額不足）等により決済処理がおこなえなかった場合（ステップＳ４１０否定）、ＩＣカード５をカード挿入／返却口から返却し（ステップＳ５００）、全ての処理を終了する。
【００８２】
ここで、決済処理がＯＫの場合（ステップＳ４１０肯定）、その決済結果をカード発行機４０に通知する（ステップＳ４３０）。利用制限制御部１２０はデータベース管理部１４０を起動し、次の決済要求のアクセスに備え、処理結果に応じて、デビット子機７０に挿入されたＩＣカード５に今回の利用履歴情報を書き込む処理をおこなう（ステップＳ４７０）。
【００８３】
具体的に、ここでのＩＣカード５に対する書き込み処理は、デビットカード処理部８３によりおこなわれ、利用履歴情報格納テーブル８１のデータ内容（利用金額、利用回数等）を更新させる処理である。次いで、上限値を設定する（ステップＳ４８０）。この場合、上限値として設定される設定値は、利用制限額から今回までの利用金額を累計した値を減算した値となる。具体的には、前述したように、利用制限額を４００００円とすると設定値は、３０００円（４００００−１００００×３＋５０００＋２０００＝３０００）となる。この金額は、遊技客が利用できる利用制限額に到達するまでの金額である。
【００８４】
一方、カード発行機４０では、デビット子機７０から決済結果通知を受信すると、この決済結果に基づいて決済が完了したか否かを判断する（ステップＳ４５０）。ここで、ここで、決済完了であれば（ステップＳ４５０肯定）、カード発行機４０は、それ以前のステップＳ１５５で押下された選択ボタン７５に対応する金額のプリペイドカード（当該金額相当度数の有価データが記憶されたカード）をカード発行口７７から排出し（ステップＳ４６０）、その後、全ての選択ボタン７５を消灯状態に制御し（ステップＳ６００）、処理を終える。また、決済が完了していなければ（ステップＳ４５０否定）、直ちに全ての選択ボタン７５を消灯状態に制御し（ステップＳ６００）、処理を終える（エンド）。同時にデビット子機７０では、ＩＣカード５をカード挿入／返却口から返却し（ステップＳ５００）、全ての処理を終了する。
【００８５】
ここで、本実施の形態１では、利用制限を実施する利用制限制御部１２０はデビット子機７０に備えているが、この利用制限制御部１２０はデビット子機７０のみならず、情報処理センタ１００１或はプリペイドカードシステムを構成するターミナルコントローラ１０のいずれかに備えることができる。ここで、情報処理センタ１００１或はターミナルコントローラ１０に利用制限制御部１２０を備えた場合にも、ＩＣカード５のＩＣチップ６内に格納された遊技客の利用履歴情報を読み取り、取得した利用履歴情報に基づいて利用制限を実施する。
【００８６】
以上のように、本実施の形態１は、デビット子機７０の内部に利用制限をおこなう利用制限制御部１２０を設けるとともに、ＩＣカード５のＩＣチップ６内に遊技客の利用履歴情報格納テーブル８１を設け、この利用履歴情報格納テーブル８１に記録された利用履歴情報に基づいて利用制限制御部１２０により利用制限を実施するので、決済処理条件に対する利用制限を特定の遊技店（デビット子機或は、ターミナルコントローラ）やデビット決済センターに限定することなく効率的に実施することができる。また、ＩＣカード５のＩＣチップ６ａは、メモリ容量が大きいので遊技客の利用金額、利用回数など膨大な情報を格納することができるうえ、デビット子機７０によるアクセスも容易である。
【００８７】
（実施の形態２）
図１２は本発明の実施の形態２による処理手順を示すフローチャートである。ここで、本実施の形態２の特徴は、利用制限制御装置１２０の利用制限判定部１２２によりデビット決済が可能な場合において、カード発行機４０によりプリペイドカードを発行する選択をおこなう前に、カード発行機４０に対して、利用可能額算出部１２３により算出された利用可能金額を選択ボタン７５の点灯により表示することにある。
【００８８】
図１２において、遊技客がデビット子機７０のカード挿入／返却口７３にＩＣカード５を挿入すると（ステップＳ１１０）、デビット子機７０のデビット制御部１１５は、デビットカード処理部８３を通じてＩＣカード５のＩＣチップ６からカード情報を読み取る（ステップＳ１２０）。前述したように、このデビット子機７０により読み取られるＩＣカード５の情報とは、このＩＣカード５の所有者を特定するＩＣチップ６のメモリ６ａ内に格納された遊技客個人の遊技店における利用履歴情報である。
【００８９】
次いで、ステップＳ１２７により、遊技客がデビット決済により利用した累計利用金額と利用制限額との比較をおこなう。ここで、累計利用金額の抽出は、デビットカード処理部８３により読み取ったカードＩＤをキーに利用制限データベース１４０内の利用実績テーブル１６０を検索し、現時点までの累計利用金額を算出することによりおこなう。
【００９０】
また、利用制限額の算出は、同じくデビットカード処理部８３により読み取ったカードＩＤをキーに、利用制限額算出テーブル１５０を検索し利用制限額（上限額、上限回数）を抽出することによりおこなう。このステップＳ１２７による判定は、「累計利用金額≦利用制限金額」であり、判定結果により今回までの累計利用金額が利用制限額以上の場合には（ステップＳ１２７否定）、カード挿入／返却口７３に挿入されているＩＣカード５を即座に遊技客に返却し（ステップＳ５００）、処理を終了する。ステップＳ１２７による判定は、利用制限判定部１２２によりおこなう。
【００９１】
一方、ステップＳ１２７の判定により累計利用金額が利用制限額に満たない場合には（ステップＳ１２７肯定）、次の利用可能金額の算出に移行する（ステップＳ１２８）。このステップＳ１２８による処理は、利用可能金額である決済可能金額を算出する処理である。ここで、例えば、１日の利用制限額が４００００円の遊技客が現時点で３３０００円の利用金額である場合には、利用可能金額は、７０００円と算出される（４００００円−３３０００円＝７０００円）。以上のように、利用制限額から累計利用金額を減算した金額（４００００−３３０００）がステップＳ１２８により抽出される利用可能金額（７０００円）となる。
【００９２】
次いで、デビット決済７０からカード発行機４０に対して、ステップＳ１２８により算出された決済可能金額を通知により送信する（ステップＳ１３０）。
一方、カード発行機４０では、デビット子機７０から決済可能金額を受信すると、この決済可能金額に基づいて発行可能金額を判断し、その金額の範囲内の選択ボタン７５を点灯状態にする（ステップＳ１５０）。ここで、選択ボタン７５の点灯中、遊技客が、その点灯した選択ボタン７５のいずれかを選択して押下すると（ステップＳ１５５）、カード発行機４０は、この押下された選択ボタン７５に対応する金額データをデビット子機７０に通知する（ステップＳ１６０）。この場合、表示部７１に本日の利用可能金額を表示するようにしてもよい。ここで、本例では、カード発行機４０による選択可能金額が１０００円、２０００円、３０００円、５０００円、１００００円であり、例えば、遊技客による利用可能金額が７０００円であった場合には、カード発行機４０による選択金額は発行可能金額である５０００円までの選択ボタン７５を点灯させることができる。
【００９３】
以下、カード発行機４０では、遊技客により押下された選択ボタン７５に該当する発行金額を決済金額としてデビット子機７０に対して送信する（ステップＳ１６０）。一方、デビット子機７０では、決済金額を受信すると（ステップＳ１３５）、ステップＳ３００による暗証番号の入力要求に移行する。以下、ステップＳ３００〜ステップＳ５００までの処理手順をおこなう。このステップＳ３００〜ステップＳ５００までの処理手順は、前記実施の形態１と同様であるため、細部の説明は省略する。
【００９４】
本実施の形態２では、本実施の形態１でおこなっていた利用制限判定処理を実施することなく、カード発行機４０に対して決済可能な選択ボタン７５だけが点灯するため、現時点での利用可能金額に基づく決済がＮＧとならない購入金額分のプリペイドカードを選択して購入することができる。
【００９５】
（実施の形態３）
図１３は本発明の実施の形態３による処理手順を示すフローチャートである。ここで、本実施の形態３の特徴は、利用制限範囲内において、事前に遊技客の利用金額が利用制限に到達することを利用履歴情報格納テーブルに格納された利用金額データに基づいて、チェックすることにより、ＩＣカードの挿入時に、このＩＣカードによるデビット決済が不可であることを通知することにある。以下、図１３のフローチャートを参照して、本実施の形態３における全体制御処理手順を説明する。
【００９６】
すなわち、先ず、遊技客がデビット子機７０のカード挿入／返却口７３にＩＣカードを挿入すると（ステップＳ１１０）、デビット子機７０は、この挿入されたＩＣカードからカード情報の読み取りをおこなう（ステップＳ１２０）。
【００９７】
次いで、ＩＣカード５の上限値チェックをおこない（ステップＳ１２１）、上限金額の抽出をおこなう（ステップＳ１２２）。具体的には、例えば、利用制限額が４００００円の遊技客が５回のデビット決済により３７０００円（１００００×３＋５０００＋２０００）利用金額として使用した場合、利用制限額から累計利用金額を減算した金額（４００００−３７０００）がステップＳ１２２により抽出される上限金額（３０００円）となる。
【００９８】
以下、カード発行機４０に対して、カード発行操作可の旨を通知し（ステップＳ１３０）、これに対し、カード発行機４０では、デビット子機７０から送信されたカード発行操作可の通知を受信すると（ステップＳ１４０）、選択ボタン７５を点灯状態に制御し（ステップＳ１５０）、この選択ボタン７５の点灯中に、遊技客が点灯している選択ボタン７５のいずれかを押下すると（ステップＳ１５５）、カード発行機４０は、この押下された選択ボタン７５に対応する金額データをデビット子機７０に通知する（ステップＳ１６０）。
【００９９】
具体的には、５種類（１００００円、５０００円、３０００円、２０００円、１０００円）の選択ボタン７５のうち、遊技客が選択した選択ボタン７５による金額が通知されるものとなり、この金額データが今回での決済要求金額となる。ここで、本例では、例えば、５０００円の選択ボタンが選択された場合を考える。すなわち、ステップＳ１６０により５０００円が決済要求金額として送信されと、デビット子機７０では、送信された決済要求金額である５０００円を受信する（ステップＳ１７０）。
【０１００】
ここで、本例では、「今回決済希望金額≦上限金額」により今回の決済金額（５０００円）と上限金額（３０００円）との比較をおこなう（ステップＳ１７５）。ここで、本例では、今回決済希望金額（５０００円）が上限金額（３０００円）よりも大であるため（ステップＳ１７５否定）、ＩＣカード５による決済利用は不可となり返却される。一方、例えば、ステップＳ１６０による遊技客による選択ボタン７５の選択により決済要求金額が２０００円の場合には、「今回決済希望金額≦上限金額」による判定は（ステップＳ１７５肯定）となるため、次のステップＳ３００以降の決済処理工程に移行する。以下、ステップＳ３００〜ステップＳ５００までの処理手順をおこなう。このステップＳ３００〜ステップＳ５００までの処理手順は、前記実施の形態１と同様であるため、細部の説明は省略する。
【０１０１】
以上のように、本実施の形態３は、利用可能額算出部１２３は、利用履歴情報格納テーブル８１に格納された利用金額情報に基づいて、遊技客の利用金額が利用制限に到達することを判定する機能を備えるので、ＩＣカード５の挿入時に、このＩＣカード５によるデビット決済が不可であることを通知することができ、予めデビット子機による操作および通信の手間などを削減することができる。
【０１０２】
ここで、上述した各本実施の形態１〜３は、ＩＣカード５の挿入時、このＩＣカード５のＩＣチップ６内に格納した利用履歴情報をデビット子機７０において読み取るものであるが、ＩＣカード５の内部に利用制限制御部１２０を備えることもできる。この場合、利用制限をＩＣカード５自体で制限することができ、デビット子機７０は、データ通信用の端末機として機能する。
【０１０３】
ここで、利用制限データベース１４０をデビット子機７０ではなく、ＩＣカード５のメモリ６ａ内に設けるようにしてもよい。この場合、利用しようとする金額が上限値を超えている場合に利用する制限をおこなうこととなる。具体的には、一度利用制限（一日の利用合計額）にかかると、ＩＣカード５のメモリ６ａ内に「利用制限に達した旨の情報」が記録され、以降は、該ＩＣカード５のカード情報が読取られた時点で利用制限をおこなう。そして、この場合は、ＩＣカード５を挿入した時点で迅速に利用制限に達しているか否かの判定をおこなうことができる。なお、「利用制限に達した旨の情報」は、日付が変わる等、利用制限の解除が確認されたタイミングで消去がおこなわれるものとなる。
【０１０４】
【発明の効果】
以上説明したように、上記目的を達成するために、請求項１記載の発明は、指定された有価価値に関連付けられた記録媒体を発行する記録媒体発行機と、当該記録媒体を受け入れ遊技媒体の貸し出しをおこなう遊技媒体貸出装置と、デビット機能を備えたＩＣカードの受け入れ時に、当該ＩＣカードに記録されたカード情報を読み取るカード情報処理手段を有するデビット処理装置と、当該カード情報処理手段から取得したカード情報に基づいて、当該カード情報に対応した口座から指定金額を引き落とす決済処理をおこなう決済処理手段とを備えたデビット決済による遊技媒体貸出システムであって、前記ＩＣカードは、遊技客によるデビット決済時の利用金額を履歴情報として記憶する記憶手段を備え、前記デビット子機は、前記決済処理手段により決済処理された決済履歴情報を前記記憶手段に記録する決済情報記録手段と、前記決済処理に係わる遊技客に対する利用制限情報を記憶する利用制限記憶手段と、前記ＩＣカードの受け入れ毎に、実行しようとする決済処理条件が前記利用制限情報に基づいて規定される利用制限額の範囲内であるかを判定する利用制限判定手段と、を有する利用制限制御装置を備えるので、決済処理条件に対する利用制限を特定の遊技店（デビット端末或は、ターミナルコントローラ）やデビット決済センターに限定することなく効率的に実施することができるという効果を奏する。
【０１０５】
請求項２に係る発明は、請求項１に記載の発明において前記ＩＣカードの記憶手段には、前記決済時の利用金額情報を時系列的に順次格納する利用履歴情報格納テーブルをさらに備えるので、このＩＣカードの記憶手段に遊技客の遊技店における決済時の利用金額情報を格納することができることから、遊技客が異なる遊技店内のデビット端末によりデビット決済をおこなう場合でも、利用制限を確実に実施することができるという効果を奏する。
【０１０６】
請求項３に係る発明によれば、請求項１または２に記載の発明において前記利用制限制御装置は、前記ＩＣカードによる決済時に利用可能な決済額を算出する利用可能額算出手段をさらに備えるとともに、前記利用制限判定手段によりデビット決済が可能な場合、前記記録媒体発行機による有価価値が関連付けられた記録媒体を発行する選択をおこなう前に、当該記録媒体発行機に対して、前記利用可能額算出手段により算出された利用可能金額を通知する制御をおこなうので、予め利用制限判定手段により利用可能なプリペイドカードの発行金額をカード発行機により通知できることから遊技客に対する利便性をより向上することができるという効果を奏する。また、現時点での利用可能金額に基づく決済がＮＧとならない購入金額分のプリペイドカードを選択することができ、より利便性を向上できるという効果を奏する。
【０１０７】
請求項４に係る発明は、請求項３に記載の発明において前記利用可能額算出手段は、前記利用履歴情報格納テーブルに格納された利用金額情報に基づいて、遊技客の利用金額が利用制限に到達することを判定する機能を備え、ＩＣカードの挿入時に、このＩＣカードによるデビット決済が不可であることを通知するので、デビット子機による操作および通信の手間などを削減し利便性の向上を図ることができるという効果を奏する。
【０１０８】
請求項５に係る発明は、請求項１から４のいずれか一つに記載の発明において前記カード情報処理手段は、前記ＩＣカードの記憶手段に対して、遊技客によるデビット決済時の利用金額情報を書き込む機能をさらに備えるので、利用履歴情報格納テーブルによる遊技客毎の利用金額情報の管理を確実におこなうことができるという効果を奏する。
【０１０９】
請求項６に係る発明は、請求項１から５のいずれか一つに記載の発明において前記決済処理条件が前記利用制限判定手段に基づいて利用制限範囲内でないと判定された場合に、前記決済処理を規制する決済処理規制手段をさらに備えるので、利用制限判定手段により判定された決済処理を決済処理規制手段により確実に規制することができるという効果を奏する。
【０１１０】
請求項７に係る発明は、請求項１から６のいずれか一つに記載の発明において、前記ＩＣカードは、前記決済処理に係る遊技客に対する利用制限情報を記憶する利用制限制御装置を備えるので、利用制限をＩＣカード自体で制限することから、より遊技客の使い勝手および利便性を向上することができるという効果を奏する。
【図面の簡単な説明】
【図１】本発明の実施の形態１であるデビット決済による遊技媒体貸出システムの概略を示す全体構成図である。
【図２】ターミナルコントローラの内部構成を示すブロック図である。
【図３】実施の形態１に係わる情報処理センタ、デビット子機、カード発行機の構成及び接続態様を示す概念図である。
【図４】（ａ）は、ＩＣカードの構成を、（ｂ）は、ＩＣチップ内部の回路構成をそれぞれ示す図である。
【図５】デビット子機とカード発行機の内部構成を示す機能ブロック図である。
【図６】利用制限制御部の内部構成を示す機能ブロック図である。
【図７】利用制限設定テーブルの構成を示す図表である。
【図８】利用履歴情報格納テーブルの構成を示す図表である。
【図９】本発明のデビット決済による遊技媒体貸出システムにおける基本制御手順を説明するフローチャートである。
【図１０】実施の形態１におけるデビット決済による遊技媒体貸出システムの全体処理手順を示すフローチャートである。
【図１１】図１０における利用制限判定処理の全体処理手順を示すフローチャートである。
【図１２】実施の形態２におけるデビット決済による遊技媒体貸出システムの全体処理手順を示すフローチャートである。
【図１３】実施の形態３におけるデビット決済による遊技媒体貸出システムの全体処理手順を示すフローチャートである。
【符号の説明】
５  ＩＣカード
６  ＩＣチップ
６ａ  メモリ
７、１３  ＣＰＵ
９  端子
１０  ターミナルコントローラ（Ｔ／Ｃ）
１１、２２  ＲＡＭ
１２  通信Ｉ／Ｆ部
１４、２１  ＲＯＭ
１５、７１、７７  表示部
１６  入出力部
２０  パチンコ機
２３  演算部
２４  制御部
３０  カード処理ユニット
４０  カード発行機
５０  カード精算機
６０  島コントローラ
７０  デビット子機
７２  操作入力部
７３  カード挿入／返却口
７４  レシート発行口
７５  選択ボタン
７６  プリペイドカード発行口
７８  会員カード挿入／返却口
８０  アプリケーションフィールド
８１  利用履歴情報格納テーブル
８２  印字部
８３  デビットカード処理部
８４、８５、１１２、１１３  通信制御部
９１  会員カード処理部
９３  プリペイドカード処理部
１１１  発行制御部
１１５  デビット制御部
１２０  利用制限制御部
１２１  決済処理制御部
１２２  利用制限判定部
１２３  利用可能額算出部
１２４  決済処理規制部
１２５  データベース管理部
１３０  メモリ部
１４０  利用制限データベース
１５０  利用制限設定テーブル
１０００  公衆回線網
１００１  情報処理センタ
１０１０  ＣＡＦＩＳネットワーク
１０１１  クリアリングセンタ
１０２０  デビットカード発行銀行
１０４０  加盟店銀行
１０６０  カード会社センタ
１０７０  △△銀行
ＤＴ  度数管理テーブル
【図１】
2004305390.tif 000003
【図２】
2004305390.tif 000004
【図３】
2004305390.tif 000005
【図４】
2004305390.tif 000006
【図５】
2004305390.tif 000007
【図６】
2004305390.tif 000008
【図７】
2004305390.tif 000009
【図８】
2004305390.tif 000010
【図９】
2004305390.tif 000011
【図１０】
2004305390.tif 000012
【図１１】
2004305390.tif 000013
【図１２】
2004305390.tif 000014
【図１３】
2004305390.tif 000015